(57)【特許請求の範囲】
【請求項１】
開閉動されるドア本体に、表示体あるいはタッチスイッチ、センサー等の負荷機器を備える自動ドアであって、
前記ドア本体の内部に長手方向の中空部が形成された上框と戸先側框との交差する部分で、その上框の戸先側中空部に乾電池収納部を設け、前記戸先側框の上端側部分を乾電池収納部の外蓋として開閉可能に構成するとともに、上框及び戸先側框内の中空部内に電気コードが挿通されることで乾電池収納部と前記負荷機器とを電気的に接続し、上記負荷機器がドア本体の開閉時の振動により発光する表示体であって、該表示体は、発光体と、振動によって作動する振動スイッチと、この振動スイッチの信号を受けて前記発光体を点灯させる制御回路とを備える発光ユニットをケース部材に収納し、該ケース部材は、ドア本体の扉板に取付け可能に構成すると共に少なくとも前記発光体に対応する前面部位を光透過性部材によって形成してなることを特徴とする自動ドア。
【発明の詳細な説明】
【０００１】
【発明の属する技術分野】
本発明は、開閉動するドア本体に、表示体あるいはタッチスイッチ、センサー等の負荷機器を備える自動ドアに関するものである。
【０００２】
【従来の技術】
従来、自動ドアに具備される負荷機器には、例えば、本発明出願人により特願平１０−８６７９１号に提案された自動ドア用表示体がある。
この自動ドア用表示体は、ドア本体の扉板に取付けられるケース部材内に、振動スイッチ、制御回路、電池、発光ユニット等が具備され、前記ドア本体の開閉時の振動を振動スイッチにより感知し、前記ケース部材内の電池を電源にして発光ユニットを点滅させるように構成したものである。
そして、この自動ドア用表示体を具備する自動ドアは、夜間や夕暮れ時においても、自己発光することで、通行人にドアの存在を視認させることができる上、前記自動ドア用表示体が取付け容易で小型軽量あること等、多くの利点を有するものである。
【０００３】
しかしながら、上記自動ドア用表示体を負荷機器として具備した自動ドアでは、自動ドア用表示体の電源に、ケース部材内に内臓される電池、具体的にはボタン状リチウム電池等の小型電池が使用されるため、ドア本体の開閉動に伴う発光頻度が多い場合には、内臓された電池の蓄電容量の不足により電池交換のインターバルが短くなることが懸念される。そのため、内臓される電池の蓄電容量を多くすることも考えられるが、その蓄電容量の増加に伴い電池の大型化、ひいては上記ケース部材の大型化等を招くことになり、自動ドアの外観上好ましくない。また、無目内におけるドア本体の開閉制御用の電源を利用する手段も考えられるが、無目内から開閉動するドア本体に電気配線を行うには、ブラシ等の複雑な機構が必要である上、長期間の使用状況下においては前記ブラシの接点不良も懸念される。
【０００４】
【発明が解決しようとする課題】
本発明は上記従来事情に鑑みてなされたものであり、その目的とする処は、開閉動するドア本体に取付けられる負荷機器に長期間十分な電力を供給でき、電気配線が簡素な上、外観上の体裁を損ねることもない電源装置を具備した自動ドアを提供することにある。
【０００５】
【課題を解決するための手段】
上記課題を解決するための本発明の技術的手段として、開閉動されるドア本体に、表示体あるいはタッチスイッチ、センサー等の負荷機器を備える自動ドアであって、前記ドア本体の内部に長手方向の中空部が形成された上框と戸先側框との交差する部分で、その上框の戸先側中空部に乾電池収納部を設け、前記戸先側框の上端側部分を乾電池収納部の外蓋として開閉可能に構成するとともに、上框及び戸先側框内の中空部内に電気コードが挿通されることで乾電池収納部と前記負荷機器とを電気的に接続し、上記負荷機器がドア本体の開閉時の振動により発光する表示体であって、 該表示体は、発光体と、振動によって作動する振動スイッチと、この振動スイッチの信号を受けて前記発光体を点灯させる制御回路とを備える発光ユニットをケース部材に収納し、該ケース部材は、ドア本体の扉板に取付け可能に構成すると共に少なくとも前記発光体に対応する前面部位を光透過性部材によって形成してなることを特徴とする。
また、上記表示体とは、直流電源を用いて視覚的に認識される機器を意味し、発光ダイオードを点滅させる発光ユニットや、エレクトロルミネセンス等を含む。
また、上記框とは、扉板の上下あるいは左右に嵌め込まれる一般的な框を意味し、通常、引抜き加工等で形成されて内部に長手方向の中空部を有する。
また、乾電池収納部と表示体とを電気的に接続する具体的手段としては、乾電池収納部の電源出力端子と表示体の電源入力端子との間を電気コードにより電気的に接続し、該電気コードを框内に挿通させることで極力外部に露出させないように構成する。
【０００８】
上記技術的手段によれば、本発明は下記の作用を奏する。
乾電池収納部が比較的広いスペースのドア本体の框内に設けられるため、ボタン状リチウム電池等と比較して蓄電容量が大きく大型の乾電池が框内に複数収納される。そして、乾電池収納部と発光体とが電気的に接続されることで、乾電池収納部に収納される乾電池から発光体に電力が供給される。
乾電池収納部は、収納された乾電池をドア本体の戸先側から交換可能なように構成してあるので、ドア本体を開放位置に停止させることで、その戸先側から容易に乾電池の交換が行われる。
発光体は、自動ドアの開閉する振動を感知して発光体を発光し、この光を光透過部材を透過して前面に発し、通行人にドアが在ることを認識させるという作用を奏し、上記乾電池収納部に収納される乾電池を電源にすることで、前記作用が長期間維持される。
【０００９】
【発明の実施の形態】
以下、本発明の実施の形態を図面に基づいて説明する。
図１及び図２は、本発明に係る自動ドアの一例を示す。
【００１０】
自動ドア４は、図１に示すように、無目２４内で作動する図示しない駆動部と、この駆動部により開閉作動するドア本体５等を備え、そのドア本体５の上部に乾電池収納部７を設け、同ドア本体５の両面には前記乾電池収納部７により電力が供給される表示体１及びタッチスイッチ１’等の負荷機器を設けて構成される。
【００１１】
ドア本体５は、上下の框２５，３５及び左右の框５５，６５と、これらの框２５，３５，５５，６５の内側に嵌め込まれた扉板１５と、上框２５上部と下框３５下部とのそれぞれにに回動自在に取付けられた車輪４５（上側），７５（下側）等を備える。そして、このドア本体５は、上側の車輪４５が無目２４内に固定された図示しないレールに吊り下げられると共に、下側の車輪７５が床面に設けられた案内溝３４に案内されながら、図１中の矢印Ａに示す方向に開閉動する。
尚、上下の框２５，３５及び左右の框５５，６５は、引抜き加工により内部に長手方向の中空部が形成されており、従来から一般的に用いられている枠材である。
【００１２】
乾電池収納部７は、図２に示すように、複数の乾電池２７を直列収納する筒状の電池ボックス３７を上框２５内の下側中空部２５ａの戸先側に固定し、上框２５の戸先側開口部を外蓋１７により開閉可能に閉鎖して構成される。
電池ボックス３７は、筒状ケース３７ａと、この筒状ケース３７ａの戸先側開口部を開閉可能に閉鎖する蓋部３７ｂとからなり、外部の両端側には内部に収納される複数の乾電池２７の電力を出力する端子が設けられている。
外蓋１７は、上框２５と戸先側框６５との交差する部分に設けられ、上框２５の戸先側開口部を開閉可能に閉鎖するとともに、戸先側框６５の上端側部分を構成しており、上框２５の戸先側開口部または戸先側框６５上端部に着脱可能に嵌合されている。
【００１３】
そして、電池ボックス３７両端側の端子と表示体１及びタッチスイッチ１’との間は、直列接続された複数の乾電池２７の電力を表示体１及びタッチスイッチ１’に並列的に供給するように、電気コード９により電気的に接続されている。
電気コード９は、上框２５内の下側中空部２５ａ及び戸先側の框６５内の中空部６５ａに挿通されることで、極力外部に露出されないように配線されている。
【００１４】
而して、上記構成の乾電池収納部７によれば、乾電池２７が上框２５内に形成されている既存の中空部を有効利用して複数収納され、ボタン状リチウム電池等と比較して蓄電容量が大きく大型の乾電池２７を表示体１及びタッチスイッチ１’等の負荷機器の電源とすることができる。
しかも、乾電池２７の収納及び交換は、ドア本体５を開放位置に停止させ、その戸先側から外蓋１７を取り外し電池ボックス３７の蓋部３７ｂを開放することにより容易に行うことができる。
【００１５】
尚、乾電池収納部７の態様は、上記したものに限定されるものでなく、例えば、図３（ａ）に示す乾電池収納部７’や、図３（ｂ）に示す乾電池収納部７”であっても構わない。
乾電池収納部７’は、上框２５上面の戸先側に上方に開口された上側開口部２５ｃを設け、複数の乾電池２７を直列収納するとともに、それらの乾電池２７を前記上側開口部２５ｃを介して上方から着脱可能な電池ボックス３７’を、上框２５内の上側中空部２５ｂに戸先側から抜き差しできるように固定し、上框２５の戸先側開口部を外蓋１７により開閉可能に閉鎖して構成され、該乾電池収納部７’両端の端子が上記乾電池収納部７と同様にして表示体１及びタッチスイッチ１’に電気的に接続されている。
【００１６】
この乾電池収納部７’によれば、乾電池２７の収納及び交換は、ドア本体５の上方側または戸先側の何れかの方向から行うことができる。従って、例えば、自動ドア４を設置する際に乾電池２７を収納する場合には、建物側の枠体に組み付けられる前のドア本体５に、その上方から乾電池２７を収納することにより、外蓋１７を取り外す手間が省ける。また、自動ドア４のメンテナンスの際等、ドア本体５が既に建物側の枠体に組み付けられている場合には、ドア本体５を開放位置に停止させ、その戸先側から外蓋１７を取り外し、電池ボックス３７'を引抜くことによって、乾電池２７を容易に交換することができる。
【００１７】
また、図３（ｂ）に示す乾電池収納部７”は、上記乾電池収納部７’に対し、電池ボックス３７’を車輪４５よりも内側（反戸先側）に配置して上框２５内に固定し、この電池ボックス３７’に対応するように上側開口部２５ｃの配置を変えるとともに、外蓋１７を省き、そして、戸先側框６５を外蓋１７の取付けスペースを確保していない既存の戸先側框６５’に置換したものである。
この構成によれば、既存のドア本体であっても、その上框２５の上側開口部２５ｃを設け、戸先側框６５'の内側面に電気コード９用の配線孔６５ｂを穿設する等、容易な後加工を施すことで乾電池収納部７”を設けることができる。
尚、この構成の場合、乾電池２７の交換は、無目２４の図示しない駆動部点検用パネルを取り外すこと等により上方から行われる。
【００１８】
次に、表示体１について詳細に説明する。
表示体１は、扉板１５の両面に、接着剤または両面テープ等の固着手段によって固定され、図４に示すように、発光ユニット２と、この発光ユニット２を収納するケース部材３とを備える。
尚、この表示体１の固定位置は、通行人６が視認し易く且つドア本体５の開口範囲を判断し易いという見地から、扉板１５の戸先に近接する位置にするのが好ましい。
【００１９】
発光ユニット２は、図５の電子回路図に示すように、発光体１２、振動スイッチ２２、制御回路３２を基盤上に配線した電子回路であり、上述した乾電池収納部７又は乾電池収納部７’内の複数の乾電池２７を電源とする回路構成になっている。そして、この発光ユニット２は、ケース部材３内に接着剤あるいは両面テープを介して接着されるか、またはネジ止め等の手段により固定されている。
【００２０】
発光体１２は、複数の発光ダイオードであり、視認性の観点から高輝度発光タイプの赤色系のものが好ましいが、それに限らず任意に選択可能なものである。
振動スイッチ２２は、周知技術のものであり詳細説明を省略するが、大まかには長方体状のケース内に導電性の遊動可能なボール部材と接点端子が収納されており、ボール部材が外部からの振動により移動して接点端子に接触し、このことによってボール部材と接点端子とが導通状態を形成しスイッチ動作を行うものである。
【００２１】
制御回路３２は、振動スイッチ２２のスイッチ動作によって、複数の発光体１２を順次に点滅させ、その点滅時間をドア本体５が開作動または閉作動する時間に設定してあり、即ち、複数の発光体１２が前記設定時間内において順次に点滅するように動作する。この制御回路３２の回路構成については周知技術であるため詳細説明を省略するが、図５の電子回路図に示すように、コンデンサ、ダイオード、トランジスタ、抵抗、オペアンプ等の電子部品からなり、振動スイッチ２２の信号を受けて発光体１２に供給される電流を制御するように構成されている。
尚、発光体１２の点滅時間は、回路構成により任意に設定可能だが、ドア本体５開閉時の視認性向上の観点から上記のようにドア本体５が開作動または閉作動する時間に設定するのが好ましい。
【００２２】
ケース部材３は、前面を開口した長方体箱形状のケース本体２３と、このケース本体２３の前面開口部に開閉可能に嵌着される蓋体１３とを備える。
ケース本体２３は、樹脂成形により前面開口の箱状を呈する樹脂成形品であり、その背面が接着剤または両面テープにより扉板１５に固定可能な平面に形成されている。
また、蓋体１３は、透明アクリル樹脂板または半透明の樹脂板の片面側に、光が透過可能な塗料を用いて下地と自動ドアメーカのロゴマークあるいは自動ドアであることの表示等を印刷してなる光透過性部材である。
【００２３】
尚、ケース部材３の構成は、上記に限られるものではなく、少なくとも発光体１２に対応する前面部位が光を透過するようにすればよい。例えば、蓋体１３に光が透過しない樹脂を用い、この蓋体１３の発光体１２に対応する部位に円形の開口部を形成し、この開口部に円形の透明アクリル板を嵌合固着するようにしてもよい。
【００２４】
以上のように構成された表示体１によれば、 自動ドア４のドア本体５が開き始めると、その直後に、振動スイッチ２２がドア本体５の振動を感知し、発光体１２が点滅を始める。そして、ドア本体５が開き切ると、それと略同時に発光体１２の点滅を終えるが、ドア本体５が開き切ったときの振動を感知して再度発光体１２の点滅が始まり、その点滅は、設定された点滅時間内継続される。
また、ドア本体５が閉まり始めると、振動スイッチ２２がその閉まり始めの振動を感知することで発光体１２が点滅を始める。ドア本体５が閉まり切るのと略同時に発光体１２の点滅が終るが、ドア本体５が閉まり切ったときの振動を感知して再度発光体１２の点滅が始まり設定された点滅時間内点滅が継続される。
【００２５】
即ち、通行人６が自動ドア４を通り抜けるときの通常の開閉動作では、ドア本体５の開動作のインターバルと、ドア本体５が開き切って一旦停止しているインターバルと、ドア本体５の閉動作のインターバルとが略同間隔であるため、ドア本体５が開き始めた直後から、ドア本体５が閉まり切って発光体１２の点滅時間を経過する迄の間、発光体１２の点滅を継続していることになる。
【００２６】
以上の作用により表示体１は、自動ドア４を通過しようとする通行人６に対しドア本体５の開閉状態を視認させる。そして、戸先側に付ければドア本体５の開口範囲をより把握し易くできる。特に、夜間や夕暮れ時あるいは表示体１が建物の影になっている場合でも、開閉時に発光体１２が点滅するため視認性が高い。よって、開こうとしているドア本体５に通行人６が衝突したり、閉まろうとするドア本体５に通行人６が衝突あるいは挟まれたりする事故が防止される。
【００２７】
また、上記表示体１とともにドア本体５に具備されたタッチスイッチ１’は、通行人６にタッチされることによって、ドア本体５を開閉動させる信号を無目内の図示しない制御部に送信する周知のものであり、上記乾電池収納部７，７’，７”の何れかに対し上記表示体１と並列的に電気接続されることで、乾電池２７を電源にしている。
【００２８】
尚、ドア本体５に備える負荷機器は、本実施の形態では表示体１及びタッチスイッチ１’としたが、センサーや、電源を要する他の機器であっても構わない。
【００２９】
また、上記乾電池収納部７，７’，７”は、何れの態様の場合も、上框２５内に設けるように構成したが、収納スペースを確保できるのであれば、戸先側框６５内に設けるように構成しても構わない。
【００３０】
また、上記実施の形態では、上框２５内の下側中空部２５ａ又は上側中空部２５ｂの何れか一方に電池ボックス３７又は電池ボックス３７’を設けたが、上下中空部２５ａ，２５ｂの双方にそれぞれ電池ボックスを設け、これら双方の電池ボックスを並列接続し、その並列接続された電源を上記負荷機器に供給するように構成しても構わない。この場合、電池ボックスの態様は、上記電池ボックス３７又は電池ボックス３７’の何れであっても構わない。そして、この態様では、二つの電池ボックスが並列接続されることによって、複数設けられる乾電池２７の蓄電容量を更に増大することができる。
【００３１】
【発明の効果】
本発明は、以上説明したように構成されているので、以下に記載されるような効果を奏する。
ボタン状リチウム電池等と比較して蓄電容量が大きく大型の乾電池を、框内の空間を有効利用して複数収納でき、その上、複数の乾電池を並列接続することで更に蓄電容量を大きくすることも可能になる。
しかも、乾電池収納部が開閉動するドア本体の框内に設けられるため、ブラシを用いて建物側に固定された無目内から電源を供給するような複雑な機構が不要で、電気配線が簡素である。
その上、乾電池収納部が框内に設けられ外部に露出しないため、自動ドアの外観上の体裁を損ねることもない。
更に、乾電池収納部を、収納された乾電池をドア本体の戸先側から交換可能なように構成することで、ドア本体を開放位置に停止させて、その戸先側から容易に乾電池の交換ができる。
更に、上記負荷機器をドア本体の開閉時の振動により発光する表示体とすることで、表示体の発光により通行人にドアの存在を視認させるという優れた安全性を長期間維持できる自動ドアを提供できる。
【図面の簡単な説明】
【図１】  本発明に係る自動ドアの一例を示す斜視図。
【図２】  同自動ドアの要部拡大斜視図。
【図３】  本発明に係る自動ドアの二つ他例を（ａ）と（ｂ）に示す要部拡大斜視図。
【図４】  本発明に係る負荷機器の一例である表示体を示し、（ａ）は斜視図。（ｂ）は光透過性部材を外した状態の斜視図。
【図５】  同表示体の発光ユニットの電気回路図。
【符号の説明】
１：表示体（負荷機器）            １’：タッチスイッチ（負荷機器）
２：発光ユニット                  ３：ケース部材
４：自動ドア                      ５：ドア本体
７，７’，７”：乾電池収納部        １２：発光体
１３：蓋体（光透過性部材）        ２２：振動スイッチ
２５：上框                        ２７：乾電池
３２：制御回路                    ６５：戸先側框
【図１】
0004446519.tif 000002
【図２】
0004446519.tif 000003
【図３】
0004446519.tif 000004
【図４】
0004446519.tif 000005
【図５】
0004446519.tif 000006